(57)【要約】【課題】  自動車のディスクブレーキが錆びるのを防止する防錆カバーとして、外気温が変化しても防錆カバーが脱落したり、破損したりするような不具合を防止し、また、防錆カバーの取付け作業等が簡単に行われるようにする。【解決手段】  ホイールＷの外側に被せられる防錆カバー１として、円盤状のカバー面２の外周部に、内側に折れ曲がるフランジ部３を形成し、カバー面２の所定箇所に凹部４と開口５を設けて、エアバルブｖのステム部ｖ1を開口５に挿通させる。開口５に対向するカバー面２の裏側周縁部と、これと位相が９０度異なるカバー面２の裏側周縁部の合計３箇所に、裏側に向けて張り出す係合爪７を設け、この係合爪７が、ホイールＷのリムフランジ部Ｗｒ外周面と、タイヤＴのビード部Ｔｂとの間に挿入されるようにする。【選択図】      図６
2012092876.tif 000002
【特許請求の範囲】
【請求項１】
自動車用ディスクブレーキを防錆するため自動車用ホイールの外側に装着される自動車用ディスクブレーキの防錆カバーであって、円盤状のカバー面の所定箇所に凹部が設けられ、この凹部に、ホイールのエアバルブを挿通させるための開口が形成されるとともに、前記カバー面の周囲には、ホイールのリムフランジ部を覆うことのできるフランジ部が形成され、また、前記カバー面の凹部に対向するカバー面の周縁部の位置と、これと位相が９０度異なるカバー面の周縁部の位置の合計３箇所には、ホイールのリムフランジ部外周面とタイヤのビード部との間に挿入可能な係合爪が形成され、前記３箇所の係合爪を車両用ホイールに係合させて防錆カバーを固定するようにされることを特徴とする自動車用ディスクブレーキの防錆カバー。
【請求項２】
前記係合爪のうち、タイヤのビード部に接する部分には、タイヤに対して摩擦力を高めるための係止部が形成されることを特徴とする請求項１に記載の自動車用ディスクブレーキの防錆カバー。
【請求項３】
前記カバー面には、中央領域の凹凸のない平坦な押圧面部と、この押圧面部の外側に同心円状に突起として設けられる複数の同心円状ビード部と、前記押圧面部の外側に所定角度置きに放射方向に突起として設けられる複数の放射線状ビード部とが形成されることを特徴とする請求項１又は請求項２に記載の自動車用ディスクブレーキの防錆カバー。
【発明の詳細な説明】
【技術分野】
【０００１】
本発明は、自動車用ディスクブレーキが錆つくのを防止するための防錆カバーに関する。
【背景技術】
【０００２】
従来、例えば、自動車の輸出時等において長期間洋上を搬送する際、塩分や水分を含んだ空気がホイールディスクの開口部を通って車輪の内側に侵入し、ディスクブレーキのロータ等に錆びが発生するのを防止するため、ホイールディスクの外面に防錆カバーを装着して水分等の侵入を防ぐような技術が知られている。
例えば、特許文献１の技術では、ホイールディスクのリムフランジ部の外側に弾性的に嵌合可能な円盤状のキャップを設け、このキャップでホイールディスクに設けられる開口部を覆う構造や、開口部ごとに弾性的に嵌め込み可能なキャップを設けて各開口部を覆うような技術が開示されている。
また、特許文献２の技術では、防錆カバー本体を薄肉の柔軟性樹脂材料により成形し、防錆カバー本体の外周縁に、車輪のホイールディスクのリムフランジ部に密接するフランジ部を設けるとともに、防錆カバー本体の中央部に締結孔部を設け、この締結孔部を利用して、センターキャップによってホイールディスクのセンターキャップ挿入孔部に締結するようにしている。
【先行技術文献】
【特許文献】
【０００３】
【特許文献１】実開昭５６−３６５６２号公報
【特許文献２】特開２００７−３３３０２８号公報
【発明の概要】
【発明が解決しようとする課題】
【０００４】
ところが、前記特許文献１の技術の場合、輸出元と輸出先の外気温度の違いや、季節の変化などによる外気温度の変化等によってキャップの取り付け状態が変化し、キャップが脱落したり、破損したりするような不具合があった。
すなわち、キャップがホイールディスクのリムフランジの外側全周に嵌合する場合、外気温度の変化によってホイールディスクのリムフランジの径よりもキャップの径が小さくなるよう縮むと、キャップの取り外しや取り付けが困難になり、キャップ取り付け後であれば、キャップが破損する恐れがあった。
一方、逆にホイールディスクのリムフランジの径よりもキャップの径が大きくなるように変化すると嵌合の度合いが弱くなり、取り付け後であれば、キャップが脱落する恐れがあり、また、各開口部ごとにキャップを取り付ける場合にも前記と同様の不具合があり、しかも、一台の車両に対して複数のキャップが必要になるため、工数と手間がかかるという問題があった。
【０００５】
また、前記特許文献２のような技術の場合、防錆カバーがセンターキャップによりホイールディスクに取り付けられる構造であるため、昨今のアルミホイールのようなセンタキャップレスのホイールには使用できないという問題があった。また、防錆カバーは、車輪のホイールディスクに形成されるリムフランジ部全周を、防錆カバー本体の外周縁全周に形成されるフランジ部で全て覆った状態でセンターキャップにより固定する必要があるため、取付け作業が煩雑になるという問題もあった。
【０００６】
そこで本発明は、外気温が変化しても防錆カバーが脱落したり、破損したりするような不具合を防止するとともに、防錆カバーの取付け作業等が簡単に行われるようにすることを目的とする。
【課題を解決するための手段】
【０００７】
上記目的を達成するため本発明は、自動車用ディスクブレーキを防錆するため自動車用ホイールの外側に装着される自動車用ディスクブレーキの防錆カバーにおいて、円盤状のカバー面の所定箇所に凹部を設け、この凹部に、ホイールのエアバルブを挿通させるための開口を形成するとともに、前記カバー面の周囲に、ホイールのリムフランジ部を覆うことのできるフランジ部を形成し、また、前記カバー面の凹部に対向するカバー面の周縁部の位置と、これと位相が９０度異なるカバー面の周縁部の位置の合計３箇所に、ホイールのリムフランジ部外周面とタイヤのビード部との間に挿入可能な係合爪を形成し、前記３箇所の係合爪を車両用ホイールに係合させて防錆カバーを固定するようにした。
【０００８】
そして、円盤状のカバー面の凹部の開口に、ホイールのエアバルブのステム部を挿通させて位置決めするとともに、３箇所の係合爪を、ホイールのリムフランジ部外周面とタイヤのビード部との間に挿入し防錆カバーを固定することにより、カバー面でホイール表面を覆いディスクブレーキを防錆する。この際、外気温の変化等によって防錆カバーの膨張率とホイールの膨張率が異なっても、膨張係数の違いによる伸び縮みの差は、部分的に係合する３箇所の係合爪の変形により容易に吸収される。
また、３箇所の係合爪を係脱させるだけで取り付け、取り外しができるため、これら作業が楽に行える。
なお、このような防錆カバーの材質としては、例えば保形性のある柔軟な樹脂材料等が好ましい。
【０００９】
また本発明では、前記係合爪のうち、タイヤのビード部に接する部分に、タイヤに対して摩擦力を高めるための係止部を形成するようにした。
このような係止部としては、タイヤのビード部に接触する接触面部分に、係合爪の挿入方向に対して交差方向に延出する複数の溝を設けたり、同様な部分に複数の突起を設けたり、または、係合爪の先端部分を鋸状にする等によって構成する。
【００１０】
また本発明では、前記カバー面に、中央領域の凹凸のない平坦な押圧面部と、この押圧面部の外側に同心円状に突起として設けられる複数の同心円状ビード部と、前記押圧面部の外側に所定角度置きに放射方向に突起として設けられる複数の放射線状ビード部とを形成するようにした。
そして、カバー面の複数の同心円状ビード部と放射線状ビード部によって防錆カバーの剛性を確保するとともに、中央領域の押圧面部を平坦にすることで、押圧面部を押圧した際、押圧効果を全周に均一に及ぼさせることができる。
【発明の効果】
【００１１】
カバー面周縁部の３箇所の係合爪を、ホイールのリムフランジ部外周面とタイヤのビード部との間に挿入させて固定するようにしたため、ホイールディスクと防錆カバーの熱膨張率が変化する場合でも、係合爪の変形によって熱膨張差を吸収することができ、しかも取り付け、取り外し作業を簡素化することができる。
また、係合爪のうち、タイヤのビード部に接する部分に、タイヤとの摩擦力を高めるための係止部を設ければ、脱落防止等により効果的であり、カバー面に、凹凸のない押圧面部と、その外側の複数の同心円状ビード部と放射線状ビード部を設ければ、全体の剛性が確保され、また押圧効果も高まって好適である。
【図面の簡単な説明】
【００１２】
【図１】本発明に係る防錆カバーの側面図である。
【図２】本発明に係る防錆カバーの正面図である。
【図３】本発明に係る防錆カバーの背面図である。
【図４】図３のＡ−Ａ線断面図である。
【図５】図３のＢ−Ｂ線断面図である。
【図６】本発明の防錆カバーの取付け状態を、図３のＡ−Ａ線方向で断面として説明する説明図である。
【図７】図６の係合爪部分を拡大した拡大図である。
【図８】係止部の一例を示す図７のＣ視図である。
【図９】係止部の別の例を示す説明図である。
【図１０】係止部の更に別の例を示す説明図である。
【発明を実施するための形態】
【００１３】
本発明の実施の形態について添付した図面に基づき説明する。
本発明に係る自動車用ディスクブレーキの防錆カバーは、外気温が変化してホイールと防錆カバーの熱膨張差が生じても防錆カバーが脱落したり、破損したりするような不具合が防止できるようにされるとともに、取付け作業等を簡単に行うことができるようにされており、特に、ホイールのエアバルブのステム部を利用して位置決めするとともに、周縁の３箇所の係合爪をホイールのリムフランジ部外周とタイヤのビード部との間に挿入して固定することを特徴としている。
【００１４】
すなわち、図１乃至図３に示すように、本防錆カバー１は、本実施例ではポリプロピレン樹脂等の保形性のある柔軟性素材から成形され、中央部が正面方向に向かって若干盛り上がる形態の円盤状のカバー面２と、このカバー面２の外周部に形成されるフランジ部３を備えており、このフランジ部３は、背面方向に向けて若干内側に折り曲げられた状態で斜め内側方向に形成されている。
【００１５】
前記カバー面２は、中央領域が凹凸のない平坦な押圧面部２ａとされ、この押圧面部２ａの外側には、同心円状の複数の同心円状ビード部ｓと、所定角度置きに放射線方向に延出する複数の放射線状ビード部ｐとが、いずれも正面側に突出して形成されている。
【００１６】
また、カバー面２の所定箇所には、背面側に向けて窪む凹部４が形成されており、この凹部４の中心部には、後述するホイールに装着されるエアバルブのステム部を挿通させるための開口５が形成され、この開口５の外側周縁には、中心点から放射方向に延びる複数のスリ割り溝６が形成されている。
【００１７】
また、この凹部４の位置に対向する側のカバー面２の背面側周縁部と、これと位相が９０度異なるカバー面２の背面側の縁部の合計３箇所には、背面方向に向けて斜め内側に延出する係合爪７が設けられ、この係合爪７が後述するホイールＷのリムフランジ部Ｗｒ外周面とタイヤＴのビード部Ｔｂとの間に挿入できるようにされている。
【００１８】
そしてこの係合爪７は、ホイールＷのリムフランジ部Ｗｒの外周面に倣って内側に湾曲した形状であり、且つ先端に向かってその厚みが薄くなるように構成されている。
【００１９】
また、係合爪７のうち、タイヤＴと接する面側には、図８に示すように、挿入方向と直角方向に係止部としての複数の溝部ｍが設けられており、タイヤＴとの摩擦力を高めて、挿入状態から容易に抜け出さないようにしている。なお、このような係止部は、溝部ｍの代わりに、図９に示すように多数の突起ｔにしてもよく、図１０に示すように、係合爪７先端を鋸状部ｇにしてもよい。
【００２０】
なお、このような係合爪７が設けられる箇所のカバー面２において、図２、図３に示すように、一番外側の同心円状ビード部ｓは、係合爪７の箇所を避けて形成され、係合爪７が存在する箇所では、同心円状ビード部ｓを形成しないようにしている。
【００２１】
以上のような防錆カバー１をホイールＷに取り付ける要領について図６に基づき説明する。
作業者は、ホイールＷに対して防錆カバー１を位置合わせした後、カバー面２の中央領域の押圧面部２ａを押圧することで、防錆カバー１の周縁部をホイールＷのリムフランジ部Ｗｒに押し当て、防錆カバー１の外周のフランジ部３と係合爪７を外側に拡開させつつ、フランジ部３と係合爪７をリムフランジ部Ｗｒの外周面に被せる。このとき、最も外側の同心円状ビード部ｓが係合爪７の箇所に存在しないため、係合爪７はスムーズに拡開され、取付けが容易である。
【００２２】
次いで、押圧面部２ａへの押圧を解除して、カバー面２に形成される前記開口５に、ホイールＷに装着されるエアバルブｖのステム部ｖ１を挿通させて防錆カバー１の位置決めを行う。この挿通位置決めは、カバー面２の内面がホイールＷのリムフランジ部Ｗｒの先端に当接することにより完了するが、このとき、防錆カバー１はホイールＷに向けて接近することになり、これによって、防錆カバー１の係合爪７先端が、ホイールＷのリムフランジ部Ｗｒの外周曲面とタイヤＴのビード部Ｔｂとの間に圧入される。
【００２３】
このとき、防錆カバー１の係合爪７がタイヤＴのビード部Ｔｂに圧接し、係合爪７に形成される複数の溝部ｍ（または突起ｔ、または鋸状部ｇ）がビード部Ｔｂに係合することで防錆カバー１が強固に固定される。
【００２４】
以上のような要領により、防錆カバー１をホイールＷに装着する際、防錆カバー１に部分的に設けられた係合爪７のみでホイールＷに固定するようにしたため、ホイールＷと防錆カバー１との膨張係数の違いによる伸び縮みの差は、係合爪７の変形により吸収することができる。すなわち、例えば、防錆カバー１がホイールＷに比べてより大きく収縮した場合は、係合爪７が外側に拡がるように変形して破損等が防止され、しかも、係合爪７に形成される複数の溝部ｍ（または突起ｔ、または鋸状部ｇ）がタイヤＴのビード部Ｔｂに強く圧接するため、タイヤＴの空気圧との協同作用によって、防錆カバー１が脱落するのが抑制される。
【００２５】
一方、ホイールＷが防錆カバー１に比べてより大きく収縮する場合は、防錆カバー１をホイールＷに取り付けるときに生じる係止爪７の弾発力（ホイールＷのリムフランジ部Ｗｒ側に係止爪７が押圧される力）およびタイヤＴの空気圧との協同作用によって、防錆カバー１の脱落が抑制される。
【００２６】
また、防錆カバー１を取り付ける操作も、３箇所の係合爪７を拡開させるだけですむため簡単である。
【００２７】
なお、本発明は以上のような実施形態に限定されるものではない。本発明の特許請求の範囲に記載した事項と実質的に同一の構成を有し、同一の作用効果を奏するものは本発明の技術的範囲に属する。
例えば、防錆カバー１の材質等は一例である。
【産業上の利用可能性】
【００２８】
自動車用ディスクブレーキの防錆カバーとして、ホイールとカバーの温度差による膨張係数の違いが大きいような場合でも、カバーが脱落したり、破損したりするような不具合がなく、また、装着作業も簡単であるため、特に輸出時などの防錆カバーとして今後の普及が期待される。
【符号の説明】
【００２９】
１…防錆カバー、２…カバー面、３…フランジ部、４…凹部、５…開口、７…係合爪、ｍ…溝部、Ｗ…ホイール、Ｗｒ…リムフランジ部、Ｔ…タイヤ、Ｔｂ…ビード部、ｖ…エアバルブ。
【図１】
2012092876.tif 000003
【図２】
2012092876.tif 000004
【図３】
2012092876.tif 000005
【図４】
2012092876.tif 000006
【図５】
2012092876.tif 000007
【図６】
2012092876.tif 000008
【図７】
2012092876.tif 000009
【図８】
2012092876.tif 000010
【図９】
2012092876.tif 000011
【図１０】
2012092876.tif 000012